Podtech/llm-jp-corpus-v4-ja_patent huggingface dataset:
(57)【要約】      （修正有）【課題】衛生的な洗面台を提供する。【解決手段】衛生的な洗面台は、台面上に盆体を凹設し、盆体の盆口後縁は台面の後壁に沿って設置され、その内面は弧形凸リブを突出して、主シンクと副シンクに分割する。主シンク上方の台面後壁上に壁設置型の冷、熱蛇口を装着する。両シンク上方の台面後壁上は、それぞれ、出水管を設置し、出水管と冷、熱蛇口間は管路により相接され、給水できる。更に、台面後壁の頂縁は後向けに適当な幅を延伸して、後台面を形成し、生活用品を置くことができる。主シンクと副シンクが用途によって使用できるので、衛生的である。更に、後台面があるので、別途に棚を設置する必要がなく、装着された棚の搭載重量のせいで、棚が落下する危険もない。【選択図】図１
0003149713.tif 000002
【実用新案登録請求の範囲】
【請求項１】
衛生的な洗面台は、台面上に盆体を凹設し、前記盆体の盆口後縁は前記台面の後壁に沿って設置され、その特徴は、前記盆体の内面は弧形凸リブを突出して、主シンクと副シンクに分割し、前記主シンク上方の台面後壁上に壁設置型の冷、熱蛇口を装着し、また、前記主、副シンク上方の台面後壁上は、それぞれ、出水管を設置し、且つ、前記出水管と前記冷、熱蛇口間は管路により相接されることを特徴とする衛生的な洗面台。
【請求項２】
前記主、副シンクの底部は排水口を開設していることを特徴とする請求項１に記載の衛生的な洗面台。  
【請求項３】
前記台面後壁の頂縁は後方に適当な幅を延伸して、後台面を形成し、生活用品を置くことができることを特徴とする請求項１に記載の衛生的な洗面台。
【考案の詳細な説明】
【技術分野】
【０００１】
本考案は、衛生的な洗面台に関するものであって、特に、二シンク設計で、それぞれ、洗浄専用シンクと排水シンクの用途に使用できると共に、充分な小物配置空間を有して、別途に台を設置する不便がない洗面台に関するものである。
【背景技術】
【０００２】
公知の洗面台はシンク後方の台面部分に制限を受け、立式の蛇口の装着空間を残す必要がある。また、台面の前、後壁間の深さが深すぎると、台面の装着を妨げ、使用に影響する。よって、蛇口後方から後壁面間の深さは限りがあり、石鹸、歯ブラシ、歯磨き粉、うがい用コップなどの生活用品を置く空間が不足し、通常は、台面上方の壁面に置物棚を装着している。しかし、装着施工のコストがかかり、また、空間の浪費でもある。更に、置物棚は搭載重量に制限があるので、脱落する危険がある。
【考案の概要】
【考案が解決しようとする課題】
【０００３】
本考案の目的は、上述の問題を解決する衛生的な洗面台を提供することにある。
【課題を解決するための手段】
【０００４】
本考案の衛生的な洗面台は、台面上に盆体を凹設し、盆体の盆口後縁は台面の後壁に沿って設置され、その内面は弧形凸リブを突出して、主シンクと副シンクに分割する。主シンク上方の台面後壁上に壁設置型の冷、熱蛇口を装着する。両シンク上方の台面後壁上は、それぞれ、出水管を設置し、出水管と冷、熱蛇口間は管路により相接され、給水できる。更に、台面後壁の頂縁は後向けに適当な幅を延伸して、後台面を形成し、生活用品を置くことができる。
【考案の効果】
【０００５】
本考案の衛生的な洗面台は、二シンク設計で、それぞれ、洗浄専用シンクと排水シンクがあり、また、充分な小物配置空間を有して、別途に置物棚を設置する不便がない。
【図面の簡単な説明】
【０００６】
【図１】本考案の立体外観図である。
【図２】本考案の上視図である。
【実施例１】
【０００７】
図１と図２を参照すると、本考案は一体成型の台面１上に盆体を凹設し、盆体の盆口後縁は台面１の後壁に沿って設置され、後壁との頂縁間に適当な高低差を有する。また、盆体の内面は弧形凸リブ１１を突出し、内部を主シンク１２と副シンク１３に分割する。両シンク１２、１３の底部は排水口１２１、１３１を開設し、且つ、主シンク１２上方の台面１後壁上に壁設置型の冷、熱蛇口１４、１５を設置して、冷、熱水の流出と停止を制御する。また、両シンク１２、１３上方の台面１後壁上に、それぞれ、出水管１２２、１３２を固設し、両出水管１２２、１３２と冷、熱蛇口１４、１５間は管路により連接され、冷、熱蛇口１４、１５に送られる水を先に混合し、出水管１２２、１３２から両シンク１２、１３内に放出して、給水する（その間の連接管路は公知技術であるので詳述しない）。台面１の項壁頂縁は後方に適当な幅を延伸して、幅の広い後台面１６を形成し、日常使用する石鹸箱、うがい用コップ、歯磨き粉、歯ブラシなどの生活用品を置くことができる。
本考案は、使用者が洗顔や、手を洗う、タオルを洗うなどの洗浄動作を行う時、必要に応じて、冷、熱蛇口１４、１５を開き、主シンク１２を利用する。歯磨きやうがい、痰や唾液、鼻水などの処理には副シンク１３を利用する。両シンク１２、１３の用途は明確な仕切りがあるので、主シンク１２が痰や鼻水で汚されることがなく、衛生的に使用できる。
本考案は、台面１の盆体内面に弧形凸リブ１１を突出し、主シンク１２と副シンク１３に仕切って形成され、冷、熱蛇口１４、１５、及び、出水管１２２、１３２の設置により、主シンク１２と副シンク１３は、それぞれ、単純な洗浄と汚物の排出の用途が明確に分離され、主シンク１２が汚れることがなく、衛生を確保する。また、節水もできる。更に、本考案は、盆体の盆口後縁が台面１の後壁に沿って設置され、壁設置型の冷、熱蛇口１４、１５の設計により、台面１前後壁間の深さ尺寸が不変である前提下で、後壁頂縁が後向けに後台面１６を延伸して、各種生活用品を多くことができ、別に棚を設置する必要がなく、空間も節約することができ、また、置物棚を設置し、その搭載重量のために物品が脱落する恐れもない。この他、本考案が採用する壁設置型の冷、熱蛇口１４、１５は公知の立式蛇口と比較すると、洗浄しやすく、水の付着が少ない等の長所があり、使用上の価値を増加する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
台面１
弧形凸リブ１１
主シンク１２
副シンク１３
排水口１２１、１３１
冷、熱蛇口１４、１５
出水管１２２、１３２
後台面１６
【図１】
0003149713.tif 000003
【図２】
0003149713.tif 000004
(57)【要約】【課題】手間を掛けることなく容易に前板を装飾することができる、木製引出の前板と側板との接合構造を提供する。【解決手段】側板２の木口端に形成された突条３を前板１の木口端に形成された溝４に差し込んで組接ぎされた木製引出の前板と側板の接合構造において、側板２の突条３の先端面に彫刻５が施され、彫刻５が前板１の前面に表出している接合構造。前記組接ぎは、側板の突条の先端が前板の前面に表出する、三枚組接ぎ、五枚組接ぎ、きざみ接ぎあるいは蟻組接ぎのいずれかである。【選択図】図２
0003149710.tif 000002
【実用新案登録請求の範囲】
【請求項１】
側板の木口端に形成された突条を前板の木口端に形成された溝に差し込んで組接ぎされた木製引出の前板と側板の接合構造において、
側板の突条の先端面に彫刻が施され、彫刻が前板の前面に表出していることを特徴とする木製引出の前板と側板の接合構造。
【請求項２】
組接ぎが、側板の突条の先端が前板の前面に表出する、三枚組接ぎ、五枚組接ぎ、きざみ接ぎあるいは蟻組接ぎのいずれかであることを特徴とする請求項１記載の木製引出の前板と側板の接合構造。
【考案の詳細な説明】
【技術分野】
【０００１】
本考案は、木製引出の前板と側板との接合構造において、接ぎ手の接合により前板を装飾することができる接合構造に関する。
【背景技術】
【０００２】
机、タンスあるいはキャビネットなどの木製家具の引出は、前板、向板および左右の側板で構成された矩形の引出枠に底板が取り付けられた箱構造となっている。引出枠を構成する前板、後板および側板の接合は、一般には強度や見ばえを考慮して釘や接合金具などの接続具を用いずにそれぞれの板の木口を加工して組み手を形成し、組み手どうしを組んで接合する組接ぎが利用されている（特許文献１，２参照）。
【０００３】
図４は従来の引出の前板と側板の接合構造の例を示す図で、図４（ａ）に示す前板１と側板２の接合構造は、五枚組み手で、前板１と側板２の端面に間隔をおいて表裏面を貫通する溝４を形成するとともに、溝４と溝４の間には突条３が形成される。一方の板に形成されているそれぞれの溝の中に他方の板に形成されているそれぞれの突条を差し込んで噛合せて接合される。
【０００４】
図４（ｂ）に示す前板と側板の接合構造は、包み蟻組接ぎであり、前板１の側端に蟻溝４が形成され、側板２の端部に蟻溝４に合致する突条３が形成され、前板１の蟻溝４に側板２の突起３を差し込んで接合され、突条３の木口が前板から見えないようにした接合構造である。
【先行技術文献】
【特許文献】
【０００５】
【特許文献１】実開昭５５−７０２０７号公報
【特許文献２】実開昭５４−１７５４２５号公報
【考案の概要】
【考案が解決しようとする課題】
【０００６】
従来の引出の前板と側板の接合構造では、見映えが悪くならないように包み代を設けるなどするため接ぎ手の構造が複雑となって高い寸法精度が要求される。その結果、接ぎ手の加工に手間がかかるという問題があった。
【０００７】
また、通常、前板に木口が現れないようにして前板を見映えをよくするために、別途、化粧板を用意して取り付けたりする必要があったため、部品点数が増え、工数も増えていた。
【０００８】
そこで、本考案は、手間を掛けることなく容易に前板を装飾することができる、木製引出の前板と側板との接合構造を提供するものである。
【課題を解決するための手段】
【０００９】
本考案の木製引出の前板と側板の接合構造は、側板の木口端に形成された突条を前板の木口端に形成された溝に差し込んで組接ぎされた木製引出の前板と側板の接合構造において、側板の突条の先端面に彫刻が施され、彫刻が前板の前面に表出していることを特徴とする。
【００１０】
前記組接ぎは、側板の突条の先端が前板の前面に表出する、三枚組接ぎ、五枚組接ぎ、きざみ接ぎあるいは蟻組接ぎのいずれかである。
【考案の効果】
【００１１】
本考案の前板と側板との接合構造では、前板の表面に表出する、側板の突条の先端面に彫刻が施されているので、前板と側板の接ぎ手を組み合わせるだけで彫刻が表出して前板の前面を装飾することができる。
【００１２】
本考案の前板と側板との接合構造は、凹凸を組み合わせる従来から利用されている組み手なので、接ぎ手を容易に加工することができる。また、ダボを使用することにより強固に固定することができる。
【図面の簡単な説明】
【００１３】
【図１】本考案による引出の前板と側板との接合構造の一実施例を示す図である。
【図２】本考案による引出の前板と側板との接合構造の別実施例を示す図である。
【図３】本考案による引出の前板と側板との接合構造の別実施例を示す図である。
【図４】（ａ）は従来の引出の前板と側板との接合構造（蟻組接ぎ）を示す図、（ｂ）は従来の引出の前板と側板との接合構造（石畳組接ぎ）を示す図である。
【考案を実施するための形態】
【００１４】
本考案の実施例について図面を参照しながら説明する。
【実施例】
【００１５】
図１に示す接合構造は、前板１および側板２の木口端に突条３と溝４を形成して接合する組接ぎの例である。側板２の突条３は前板１の溝４に差し込まれて勘合して接合される。前板１の溝４は表裏を貫通し、側板２の突条３の先端は、前板１の前面に表出する。
【００１６】
側板２の突条３の先端には彫刻により各種の装飾が施される。図１では、突条３の先端は台形の四角錐に形成され、四角錐が前板１の表面に表出する。
【００１７】
図１は五枚組接ぎであるが、五枚組接ぎ以外でも、側板２の突条３の先端が前板１の表面に表出する組接ぎであればよく、公知の、三枚組接ぎ、石畳接ぎ（別名きざみ接ぎ）あるいは蟻組接ぎなどの突条３の先端の彫刻が前板１の前面に表出する組接ぎを利用することができ、表出させる突条３の数に応じて選択することができる。
【００１８】
突条３の先端部には、家具の種類や好みに応じて、例えば図２に示すように、花、家紋など各種の飾りを施すことができる。
【００１９】
また、図３に示すように、突条３の側面に飾りを施すため、例えば、焼き印を押し、塗装仕上げしてもよい。
【符号の説明】
【００２０】
１：前板
２：側板
３：突条
４：溝
５：装飾
【図１】
0003149710.tif 000003
【図２】
0003149710.tif 000004
【図３】
0003149710.tif 000005
【図４】
0003149710.tif 000006
(57)【要約】【課題】  時計ケースとエンドピースとの間で生じる「ガタツキ」を防止するための、新たな時計バンドの嵌合構造を提供することにある。【解決手段】  時計バンドを時計ケースに取り付けるための時計バンドの嵌合構造であって、時計バンドを時計ケース１０に取り付ける接続部分であるエンドピース２０と時計ケース１０の間に付勢部材を介在させ、その付勢部材が、エンドピース２０裏面に形成された溝部２１に貼り付けられた略ヘの字形の板バネ３０からなる。【選択図】  図１
0003149704.tif 000002
【実用新案登録請求の範囲】
【請求項１】
時計バンドを時計ケースに取り付けるための時計バンドの嵌合構造であって、
時計バンドを時計ケースに取り付ける接続部分であるエンドピースと時計ケースの間に付勢部材を介在させたことを特徴とする時計バンドの嵌合構造。
【請求項２】
付勢部材は、エンドピース裏面に形成された溝部に貼り付けられた略ヘの字形の板バネからなることを特徴とする請求項１記載の時計バンドの嵌合構造。
【請求項３】
請求項１又は２記載の時計バンドの嵌合構造を備えた腕時計。
【考案の詳細な説明】
【技術分野】
【０００１】
本願考案は、時計バンドを時計ケースに取り付けるための時計バンドの嵌合構造に関するものである。
【背景技術】
【０００２】
従来から、時計バンドを時計ケースに取り付けるための時計バンド嵌合部は接続部分であるために、どうしても時計ケースとエンドピースとの間で「ガタツキ」が生じやすい。これに対して、特許文献１などではこの「ガタツキ」を解消する技術が開示されている。
【先行技術文献】
【特許文献】
【０００３】
【特許文献１】特開２００５−１６０５３０号公報
【考案の概要】
【考案が解決しようとする課題】
【０００４】
ところで、時計バンドの嵌合部は、その取り付け方法として、バネ棒方式，ネジ固定方式，一体式，Ｃリング固定方式などがある。通常この「Ｃリング固定方式」の場合、製造上の公差のバラツキにより嵌合部にガタツキが生じてしまう。そこで、本願考案者は、このガタツキを解消すべく、本願考案を完成するに至った。
【課題を解決するための手段】
【０００５】
上記目的を達成するために、第１の考案は、時計バンドを時計ケースに取り付けるための時計バンドの嵌合構造であって、時計バンドを時計ケースに取り付ける接続部分であるエンドピースと時計ケースの間に付勢部材を介在させたことを特徴とするものである。
第２の考案は、付勢部材が、エンドピース裏面に形成された溝部に貼り付けられた略ヘの字形の板バネからなることを特徴とする同時計バンドの嵌合構造である。
第３の考案は、上記第１又は２の考案に係る時計バンドの嵌合構造を備えた腕時計である。
【考案の効果】
【０００６】
本願考案によれば、以下のような効果を有する。
（１）エンドピースと時計ケースの間に付勢部材が介在しているので、ガタツキが発生しなくなり、安定した時計バンドの嵌合構造を提供できる。
（２）付勢部材が、エンドピース裏面に形成された溝部に貼り付けられた略ヘの字形の板バネからなることで、付勢部材がエンドピースと時計ケースの間に確実に介在できる。
（３）また、極めてシンプルな構造で、確実にガタツキの発生を防止できるので、コストパフォーマンスが高く、また、修理や調整等がし易い。
【図面の簡単な説明】
【０００７】
【図１】本願考案に係る時計バンドの嵌合構造を示す説明図。
【考案を実施するための形態】
【０００８】
本願考案に係る実施形態を図面に基づいて説明する。
図１は、本願考案に係る時計バンドの嵌合構造を示す説明図である。
図１に示すように、時計バンドを時計ケース１０に取り付けるための接続部材として、エンドピース２０が設けられている。
【０００９】
そして、エンドピース２０は、その裏面に溝部２１を形成し、この溝部２１に付勢部材として略ヘの字形の板バネ３０が貼り付けられている。板バネ３０の貼り付け方法には、レーザー溶接，ロー付け，接着剤，両面テープなど公知の技術を用いればよい。
【００１０】
このような裏面構造を持つエンドピース２０を時計ケース１０に接続すると、時計ケース１０とエンドピース２０の間にちょうど板バネ３０が介在することとなる。そして、この板バネ３０が時計ケースにも当接して、エンドピース２０を反時計ケース１０側に付勢することになるので、時計ケース１０とエンドピース２０の間で生じるガタツキを効果的に抑えることができる。
【産業上の利用可能性】
【００１１】
本願考案は、時計バンドを時計ケースに取り付けるための時計バンドの嵌合構造に広く利用できるものである。
【符号の説明】
【００１２】
１０  時計ケース
２０  エンドピース
２１  溝部
３０  板バネ
【図１】
0003149704.tif 000003
(57)【要約】      （修正有）【課題】丸めて省スペースで保管ができ、使用時にはすぐ平らになる復元性を持ち、壁に画鋲等で止めることができるシート状の軽いものから床置きの重量のあるものまで対応でき、且つ、耐久性に富んだ大判の水筆複合紙を提供する。【解決手段】水筆紙２に裏打ちすべく軟質プラスチックシート３をその裏面に貼り合わせる。軟質プラスチックシートとしては、塩化ビニール、その他の復元性素材からなるシート材を採用する。水筆紙の裏面に貼り合わされた軟質プラスチックシートの厚みを調整することにより、軽いものから床置きの重量のあるものまで対応でき、且つ、耐久性に富んだ大判あるいは長尺の水筆複合紙が提供できる。【選択図】図１
0003149738.tif 000002
【実用新案登録請求の範囲】
【請求項１】
水筆紙の裏面に軟質プラスチックシートを貼り合わせたことを特徴とする水筆複合紙。
【請求項２】
水筆紙の裏面に内部に気泡を含む軟質プラスチックシートを貼り合わせたことを特徴とする水筆複合紙。
【考案の詳細な説明】
【技術分野】
【０００１】
本考案は、毛筆を使って、文字の練習・図案の考察・言語の記録・絵画表現の工夫等、書芸訓練のため、繰り返し使用できる水筆複合紙に関する。
【背景技術】
【０００２】
紙面が加工されていて繰り返して毛筆習字等ができる特殊加工紙として、水筆紙が知られている（例えば特許文献１参照）。これは筆に水を付けて水筆紙に筆記すると、水に濡れた箇所があたかも墨又は朱で筆記したように黒色又は赤色に発色するものである。そして一定時間経過すると吸収あるいは蒸発等によって水が自然消失し、元の紙面となる。
【０００３】
水筆紙は墨を用いることなく水だけで文字が書けるため、服や畳を汚す心配がなく、また毛筆習字の練習等のため繰り返して使用できるため、省資源という面からも推奨されている。
【０００４】
このため水筆紙については今までに、水筆紙の素材あるいはその積層構造に関する多数の技術的改良がなされている（例えば特許文献２、３参照）。
【０００５】
ところが水筆紙は、大判のものや長尺なものになると、水筆紙単体では破れやすいため慎重に取り扱う必要があり、また保管のため丸めると巻き癖がつき平らにするのが大変であるといった取り扱い上の問題点があった。
【０００６】
このような問題点を避けるため水筆紙をベニヤ板などに貼ったボードタイプのものが提案されているが、ボードタイプのものはそれ自体重量があり、また保管のためのスペースを必要とするといった別の問題点があった。
【先行技術文献】
【特許文献】
【０００７】
【特許文献１】特公昭５０−５０９７号公報
【特許文献２】特公平５−１５３８９号公報
【特許文献３】特開平９−４０９０１号公報
【考案の概要】
【考案が解決しようとする課題】
【０００８】
したがって本考案は、丸めて省スペースで保管ができ、使用時にはすぐ平らになる復元性を持ち、壁に画鋲等で止めることができるシート状の軽いものから床置きの重量のあるものまで対応でき、且つ、耐久性に富んだ水筆複合紙を提供することを課題とする。
また本考案は、毛筆習字を行う場合に、書く人の学習意欲が助長される水筆複合紙を提供することを課題とする。
【課題を解決するための手段】
【０００９】
上記の課題を解決するための手段は、次のとおりである。
（１）水筆紙の裏面に軟質プラスチックシートを貼り合わせたことを特徴とする水筆複合紙。
（２）水筆紙の裏面に内部に気泡を含む軟質プラスチックシートを貼り合わせたことを特徴とする水筆複合紙。
【考案の効果】
【００１０】
本考案によれば、水筆紙の裏面に軟質プラスチックシートを貼り合わせたため、軟質プラスチックシート地の特性により、丸めて省スペースで保管ができ、使用時にはすぐ平らになる復元性を持ち、壁に画鋲等で止めることができるシート状の軽いものから床置きの重量のあるものまで対応でき、且つ、耐久性に富んだ、大判あるいは長尺の水筆複合紙が得られる。
【００１１】
また本考案の水筆複合紙では、軟質プラスチックシートがその内部に多数の気泡を含むため、軽量であって、且つ、弾力性に富み、ショックを吸収することができる。このため大判あるいは長尺の水筆複合紙であっても取り扱いが楽であるばかりでなく、毛筆習字を行う場合には、筆の持っている弾力性が損なわれることなく生かされて、書く人の学習意欲が助長される。
【図面の簡単な説明】
【００１２】
【図１】本考案に係る水筆複合紙を説明するための断面模式図である。
【符号の説明】
【００１３】
１  水筆複合紙
２  水筆紙
３  軟質プラスチックシート
【考案を実施するための形態】
【００１４】
本考案に係る水筆複合紙について、図面を参照して詳細に説明する。
図１にその断面模式図を示す。図１において、２は水筆紙であり、３はこれを裏打ちするためにその裏面に貼り合わされた軟質プラスチックシートである。軟質プラスチックシートとしては、塩化ビニール、その他の復元性素材からなるシート材が採用できる。
【００１５】
本考案では、水筆紙の裏面に貼り合わされた軟質プラスチックシートの厚みを調整することにより、軽いものから床置きの重量のあるものまで対応でき、且つ、耐久性に富んだ大判あるいは長尺の水筆複合紙が提供できる。
【００１６】
図１に示す水筆複合紙における軟質プラスチックシートとして、特に内部に気泡を含む軟質プラスチックシートであることがより好ましい。このような軟質プラスチックシートは、内部に多数の気泡を含むため、軽量であってかつ弾力性に富み、ショックを吸収することができる。
【００１７】
このため大判あるいは長尺の水筆複合紙であっても取り扱いが楽にできる。
さらにこの水筆複合紙を用いて毛筆習字を行う場合には、筆の持っている弾力性が損なわれることなく生かされるため、書く人の学習意欲が助長される利点がある。
【００１８】
以上毛筆習字を例示して本考案の水筆複合紙を説明したが、本考案の水筆複合紙はこれに限定されるものではなく、毛筆を使った図案の考察・言語の記録・絵画表現の工夫等、書芸訓練のために広く利用することができる。
また本考案に係る水筆紙の発色についても、黒色又は赤色に限らず、その用途に応じた適宜の発色とすることができる。
【図１】
0003149738.tif 000003
(57)【要約】      （修正有）【課題】コースターとコップ等の飲用容器が付着連動することを防止するとともに、コースターの製造及び洗浄が容易で造形美の優れたコースターを提供する。【解決手段】コースターは、飲用容器の横滑り止め部３と、飲用容器載置部２に、左右上下対象の×字状に交差する一般成人の人差し指の腹部程度の形状になるよう形成した水滴貯留溝部４からなる。【選択図】図１
0003149765.tif 000002
【実用新案登録請求の範囲】
【請求項１】
載置した飲用容器底部が接触するコースター面に、左右上下対象の×字状に形成した溝を設けたことを特徴とするコースター
【請求項２】
×字状に設けた溝は、一般成人の人差し指の腹部が入る程度の形状に形成したことを特徴とするコースター
【請求項３】
前記コースター本体の上面平面部の形状パターンを、四角形または円形にしたことを特徴とする、請求項１から請求項２のいずれかに記載したコースター
【考案の詳細な説明】
【技術分野】
【０００１】  本考案は、コースターとコップ等の飲用容器が付着連動することを防止するとともに、洗浄が容易なコースターに関するものである。
【背景技術】
【０００２】  居酒屋等で、コースターにしばらく載せた冷えたビールジョッキを持ち上げたときにコースターまでもが一緒に持ち上がり、この水滴を含んだコースターが落下して卓上の料理や衣服を汚す不愉快な思いをさせられることが今だに現実としてある。【０００３】  従来の、洗浄の容易さを視点にしたコースターの構造は、飲用容器載置部と水滴貯留部の分離型が主である。どちから一方でも紛失すれば考案目的のコースターとしての用を足さなくなる。
また、分離型は、複雑・デキケートな構造となっているため、床に落下した場合は破損する恐れが多分にある。【０００４】  製造段階に要する加工コストや洗浄に要する作業コストは、複雑な構造になるほど高くなる。居酒屋等で頻繁に多量に使用するコースターに係る購入及びランニングコストは、結果的に客に跳ね返ってくる。
【考案の開示】
【考案が解決しようとする課題】
【０００５】  造形美を追求しつつ、製造コスト・洗浄コストの抑制及び紛失防止に配慮した上で飲用容器底に付着した水滴の接着作用によってコースターが飲用容器と共に持ち上がる等の連動反応する欠点を解決しようとするものである。
【課題を解決するための手段】
【０００６】  本考案は、簡潔で左右上下対称の造形美を醸し出すように、飲用容器の横滑り止めを設けた容器載置部と人差し指の腹部の形状をした溝を×字状に配置することで、洗浄難及びコースターと飲用容器とが付着連動する問題点を解決している。
【考案の効果】
【０００７】  上述の様に本考案は、コースターに載置した冷えたビールジョッキ等の飲用容器の持ち上げに際して水滴を卓上に垂らすことなく前記飲用容器単一で口元に運ぶことができ、しかも製造コスト、洗浄作業コスト及び造形美の面で有利性を得ることができる。
【考案を実施するための最良の形態】
【０００８】  まず、コースター本体に飲用容器の横滑り防止のために凹部を工作する。飲用容器を載置する前記凹部内に、一般成人の人差し指の腹部が入る程度の溝を左右上下対象の×字状に工作する。
【実施例】
【０００９】  以下、本考案の一実施例を添付図面を参照して説明する。図１から図４は、請求項１または請求項２の考案の一実施例である。この実施例はコースター本体１の上面平面部が四角形の場合に本考案を適用したもので、コースターの構造を、飲用容器の横滑り止め部３、飲用容器の載置部２、前記２内に左右上下対象の×字状に加工した一般成人の人差し指の腹部が入る程度の水滴貯留溝４としたものである。【００１０】  また、図５の一実施例は請求項３の考案の一実施例を説明しており、コースター本体１の上面平面部を円形に加工したものである。
【産業上の利用可能性】
【００１１】  居酒屋等で飲用容器を持ち上げたときに卓上や衣服等に水滴やコースターの落下の危険性がかなり低くなることから客の苦情が激減し、しかも一体的構造に機能性と造形美も兼ね備えているため、購入コスト・耐用年数・洗浄コスト面・接客コスト面等総合的に見て従来品に引けを取らないことから居酒屋等での大口需要が大いに見込まれる。
【図面の簡単な説明】
【００１２】
【図１】本考案のコースターの一実施例を示す斜視図である。
【図２】図１の平面図である。
【図３】図２のＡ〜Ａ′側切断面図である。
【図４】図２のＢ〜Ｂ′側切断面図である。
【図５】本考案の実施例を示す平面図である。
【符号の説明】
【００１３】１  コースター本体
２  飲用容器載置部
３  飲用容器の横滑り止め部
４  水滴貯留溝部
【図１】
0003149765.tif 000003
【図２】
0003149765.tif 000004
【図３】
0003149765.tif 000005
【図４】
0003149765.tif 000006
【図５】
0003149765.tif 000007
(57)【要約】      （修正有）【課題】携帯電話のハンドレスマイクコードや携帯音響機器のイヤホンのコードを衣類に保持するための道具を提供する。【解決手段】携帯電話のハンドレスマイクコードや携帯音響機器のイヤホンコードを着用した衣類に保持するための道具であり、コードを保持するために螺旋の形状を有することを特徴とする。この螺旋内にコードを入れることで保持、脱着が容易になる。【選択図】図１
0003149767.tif 000002
【実用新案登録請求の範囲】
【請求項１】
携帯電話のハンドレスマイクコードを、着用した衣類に保持する道具
【請求項２】
携帯音響機器のイヤホンコードを、着用した衣類に保持する道具
【考案の詳細な説明】
【技術分野】
【０００１】本考案は携帯電話のハンドレスマイクや、携帯音響機器のイヤホンのコードに関するものである。
【背景技術】
【０００２】従来、各携帯機器から使用者の耳までコードは保持されずに不安定な状態である。
【考案の開示】
【考案が解決しようとする課題】
【０００３】ポケットに入れたり、ベルトに着けたりした携帯機器から耳までの間、コードはぶらぶらと揺れて垂れ下がった状態であり、自分の腕や他人の腕、鞄などに引っ掛かる事があった。
【課題を解決するための手段】
【０００４】本考案は携帯機器のコードを衣類に保持させる事でコードの不安定な状態を防ぐものである。
【考案の効果】
【０００５】デザイン、品質によっては新しいアクセサリーとなる。
【図１】
0003149767.tif 000003
【手続補正書】
【提出日】平成20年10月30日(2008.10.30)
【手続補正１】
【補正対象書類名】実用新案登録請求の範囲
【補正対象項目名】全文
【補正方法】変更
【補正の内容】
【実用新案登録請求の範囲】
【請求項１】
携帯電話のハンドレスマイクコードを、着用した衣類に保持する道具でありコードを保持するために、螺旋の形状を有する。
【請求項２】
携帯音響機器のイヤホンコードを、着用した衣類に保持する道具でありコードを保持するために、螺旋の形状を有する。
【手続補正２】
【補正対象書類名】明細書
【補正対象項目名】全文
【補正方法】変更
【補正の内容】
【考案の詳細な説明】
【技術分野】
【０００１】本考案は携帯電話のハンドレスマイクや、携帯音響機器のイヤホンのコードに関するものである。
【背景技術】
【０００２】従来、各携帯機器から使用者の耳までコードは保持されずに不安定な状態である。
【考案の開示】
【考案が解決しようとする課題】
【０００３】ポケットに入れたり、ベルトに着けたりした携帯機器から耳までの間、コードはぶらぶらと揺れて垂れ下がった状態であり、自分の腕や他人の腕、鞄などに引っ掛かる事があった。
【課題を解決するための手段】
【０００４】本考案は携帯機器のコードを衣類に保持させる事でコードの不安定な状態を防ぐものである。
【考案の効果】
【０００５】デザイン、品質によっては新しいアクセサリーとなる。
【図面の簡単な説明】
【０００６】
【図１】はコードキーパーを洋服に取付てイヤホンのコードを保持した状態の図である。
【符号の説明】
【０００７】［ア］はコードキーパー本体のうち洋服側取り付け部位である、本案では洋服を磁石で挟む方法を選択している。
［イ］はコードキーパー本体のうちコードを保持する螺旋の部位である。
［ウ］は携帯電話や携帯音響機器のコードである。
【手続補正３】
【補正対象書類名】図面
【補正対象項目名】全図
【補正方法】変更
【補正の内容】
【図１】
0003149767.tif 000004
【手続補正書】
【提出日】平成21年1月17日(2009.1.17)
【手続補正１】
【補正対象書類名】実用新案登録請求の範囲
【補正対象項目名】全文
【補正方法】変更
【補正の内容】
【実用新案登録請求の範囲】
【請求項１】
携帯電話のハンドレスマイクコードを、着用した衣類に保持する道具でありコードを保持するために、螺旋の形状を有することを特徴とする道具。
【請求項２】
携帯音響機器のイヤホンコードを、着用した衣類に保持する道具でありコードを保持するために、螺旋の形状を有することを特徴とする道具。
(57)【要約】      （修正有）【課題】磁力も強く、オイルフィルターのサイズも選ばず容易に装着でき半永久的に使用可能なマグネットオイルフィルターを提供する。【解決手段】オイルフィルター外側にセグメント形状ネオジウム磁石を装着する。外周方向に磁極を揃えたネオジウム磁石を装着し、磁場を整え４０００ガウス以上の磁石の磁場を作成しオイルフィルター本体を磁石効果にし、オイルフィルター内部へ金属粒子を磁力により吸着させる。従来通り、オイルフィルターは定期交換するが、磁石は半永久的に再使用できる。ネオジウム磁石（キュリー温度３００℃）を使用する事により、各種エンジンの実用温度に対応できる。【選択図】図１
0003149769.tif 000002
【実用新案登録請求の範囲】
【請求項１】
（１）オイルフィルター外周にネオジウム磁石を磁極をあわせて磁場を作成しフィルター本体へ磁石効果をもたらしオイルフィルター内部を通るオイルの金属粒子をろ過することを特徴とするマグネットオイルフィルター
（２）前記外付けネオジウム磁石は補助リング組み合わせたことを特徴とする請求項１記載のマグネットオイルフィルター
【考案の詳細な説明】
【技術分野】
【０００１】この発明は、各種エンジンオイル等の金属粒子除去に用いるオイルフィルターの改善によりエンジン性能及び寿命に関する。
【背景技術】
【０００２】現在のオイルフィルターの構造はろ紙タイプのオイルフィルターであり、その密度でエンジンを金属粒子を除去する方式である。
【考案の開示】
【考案が解決しようとする課題】
【０００３】しかしながら、従来フィルターでは、ミクロン単位の金属粒子はろ紙タイプにフィルターでは除去出来ず、エンジン磨耗寿命の改善は期待出来なかった。
そこで、この発明は強力磁力の磁場作用を発生させ、オイルフィルター全体を磁力化しフィルター壁全般へ金属粒子を吸着させ、従来通りフィルターのみ交換可能するため、半永久的に使用可能で且つ、ミクロン単位の金属粒子も除去し、エンジン寿命の改善が出来る。
【課題を解決するための手段】
【０００４】以上の課題を解決するために、第一発明は、オイルフィルター外周にネオジウム磁石を装着したことを特徴とするマグネットオイルフィルターである。
また、第二発明は、補助リングを組み合わせ、どのサイズにもフレキシブルに装着可能になり、尚且つ外周方向へ極性を会わせること可能とし強力な磁力効果をオイルフィルター本体へ持たせることを特徴とするマグネットオイルフィルターである。
【考案の効果】
【０００５】第一発明、第二発明によりオイルフィルターにネオジウム磁石を外周（ラジアル）方向へ極性を会わせ数個装着したので磁力も強く、オイルフィルターのサイズも選ばす安易に装着でき半永久的に使用可能。
【考案を実施するための最良の形態】
【０００６】この発明の装着図を、図１に示す。
マグネットオイルフィルター本体は補助リングにネオジウム磁石を慈着させてあり、ラジアル方向への磁場を作成する事によりオイルフィルター本体が強力な磁石になる。
【実施例】
【０００７】この実施形態によれば、磁場の働きでオイルフィルター内のミクロン単位の金属粒子を慈着することができる。
したがって、エンジン寿命及びオイル寿命、摩擦性能が向上する。
【図面の簡単な説明】
【０００８】
【図１】この発明の実施形態、全体の図面である。
【図２】磁石の極性を示す図面である。
【符号の説明】
１  ネオジウム磁石
２  補助リング
３  オイルフィルター本体
【図１】
0003149769.tif 000003
【図２】
0003149769.tif 000004
【手続補正書】
【提出日】平成20年10月24日(2008.10.24)
【手続補正１】
【補正対象書類名】実用新案登録請求の範囲
【補正対象項目名】全文
【補正方法】変更
【補正の内容】
【実用新案登録請求の範囲】
【請求項１】
オイルフィルター外周にネオジウム磁石を磁極をあわせて磁場を作成しフィルター本体へ磁石効果をもたらしオイルフィルター内部を通るオイルの金属粒子をろ過することを特徴とする補助リングを組み合わせたマグネットオイルフィルター
【手続補正書】
【提出日】平成21年1月14日(2009.1.14)
【手続補正１】
【補正対象書類名】実用新案登録請求の範囲
【補正対象項目名】全文
【補正方法】変更
【補正の内容】
【実用新案登録請求の範囲】
【請求項１】
オイルフィルター外周に補助リングを設け、この補助リングにネオジウム磁石の磁極をあわせて装着することにより磁場を作成し、フィルター本体へ磁石効果をもたらしオイルフィルター内部を通るオイルの金属粒子をろ過することを特徴とする、マグネットオイルフィルター。
(57)【要約】      （修正有）【課題】筐体外壁と内壁を可動な構造とすることで、内部容積の拡張が可能なパソコン筐体を提供する。【解決手段】ＭｉｃｒｏＡＴＸ規格のマザーボードからＡＴＸ規格サイズのマザーボードへの変更も筐体内部容積の物理的な制限を受けることなく変更可能となるように、パソコン筐体１の外壁及び内壁を移動可能な構造にして、パソコン筐体内容積の拡大２を図る。【選択図】図２
0003149764.tif 000002
【実用新案登録請求の範囲】
【請求項１】
内部構成パーツの変更や増設、マザーボードの変更にあわせて、筐体内部の容積を変えられる各規格タワー型パソコン筐体
【考案の詳細な説明】
【考案の詳細な説明】
【技術分野】
【０００１】１  本考案は、パソコン筐体の形状に関する。
１  本考案は、パソコンの構成に用いるマザーボードの変更に関する。
１  本考案は、パソコンの内部構成パーツの増設や変更に関する。
【背景技術】
【０００２】１  パソコン筐体は、サイズの大きなマザーボードへの変更のために必要な内部容積を増やすことができない物である。
１  パソコン筐体は、その規格以上の内部構成パーツの増設や変更ができない物である。
【考案が解決しようとする課題】
【０００３】従来のパソコン筐体は、内部容積を増やすことができない物であるため、使用するマザーボードの規格や巨大化し続けるグラフィックボードやＣＰＵクーラー等内部構成パーツの増設や変更が、パソコン筐体の内部容積で構成条件が決められ、それ以上の構成条件の向上が物理的に不可能という形からは何も変化がみられておりません。
【課題を解決するための手段】
【０００４】上記目的を達成するために、本考案におけるリトラクタブル式パソコン筐体は、パソコン筐体内部の容積を変えられる形式に変更する事で、課題の解決を行ないます。
【考案を実施するための最良の形態】
【０００５】本考案の実施の形態について、リトラクタブル式パソコン筐体の説明をする。従来のパソコン筐体は、パソコン筐体内部の容積は一定ものであるが、本考案の場合は、リトラクタブル式にすることで容易に、パソコン筐体内部の容積を変えられる形式に変更する。
【実施例】
【０００６】本考案により、パソコン筐体内部の容積を変えられることで、パソコン筐体内部のスペース確保の問題も無くなり、より大きなサイズ規格のマザーボードへの変更が容易に行なう事が可能となる。
【考案の効果】
【０００７】１  マイクロＡＴＸ規格のマザーボードからＡＴＸ規格のマザーボードへの内蔵マザーボードの積み替えが可能になる。
１  パソコンのスペック変更がより効果的に行なう事ができる。
１  多大なＰＣリサイクル効果を望む事ができる。
【図面の簡単な説明】以下、図面は、本考案リトラクタブル式パソコン筐体の、筐体内部の容積を変えられる方法を略図にしたものである。
【図１】筐体内部の容積を変えられるパソコン筐体について、平常時の正面を略図にしたものである。
【図２】筐体内部の容積を変えられるパソコン筐体について、可動時の正面を略図にしたものである。
【符号の説明】
１  リトラクタブル式パソコン筐体本体
２  可動させたことで増加した容積
【図１】
0003149764.tif 000003
【図２】
0003149764.tif 000004
【手続補正書】
【提出日】平成20年10月17日(2008.10.17)
【手続補正１】
【補正対象書類名】実用新案登録請求の範囲
【補正対象項目名】全文
【補正方法】変更
【補正の内容】
【実用新案登録請求の範囲】
【請求項１】
筐体外壁と内壁を可動させることで、筐体内部の容積を変えられる各規格タワー型パソコン筐体
(57)【要約】      （修正有）【課題】厚物や、何枚もの生地が重なりあう洗濯物を干すとき、その竿に接している裏側部分に、風等の空気流通のできるカバー具を竿に固定させ、同時乾燥させることができる洗濯物同時乾燥空気流通カバー具を提供する。【解決手段】上記の空気流通カバー具は、Ｕ字型断面を有する形材で枠１を構成し、該枠１の長手方向全面に、空気の流通を図るべく適宜、枠１の肉厚方向に貫通する構状の空間２を穿ち、枠１が物干し竿Ｃを上からカバーする形に設置する。Ｕ字型の枠１の脚長Ｅは、物干し竿Ｃの直径より５０ｍｍ程度長く構成する。【選択図】図１
0003149770.tif 000002
【実用新案登録請求の範囲】
【請求項１】
干し竿に、洗濯物を干すとき、竿に接した、厚物や何枚もの生地が重なり合ったりしている裏側の部分を、竿に接していない表側や裏側のか所と同時乾燥が出来、取り付けや取り外しが簡単な、洗濯物同時乾燥空気流通カバー具を提供する。
【考案の詳細な説明】
【技術分野】
【０００１】  毎日の洗濯干しで、竿に接している裏側部分の生地が、厚物であったり重なりあったりしている面は、竿に触れていない表側や裏側部分のか所と同時に乾くことがなく、そのため竿から、取り外して裏返したりして干し直しをしている。
【背景技術】
【０００２】  従来は、一般的には洗濯物を乾かすために、竿等につるして洗濯挟みで止めて、干している。しかし厚物や、何枚もの生地が重なりあっている裏側部分のところは、日も風もあたりにくく、そのために、他のか所と比べて同時に乾燥がしにくい。
【考案の開示】
【考案が解決しようとする課題】
【０００３】  本考案は、厚物や、何枚もの生地が重なりあう洗濯物を干すとき、その竿に接している裏側部分に、風等の空気流通のできるカバー具を竿に固定させ、同時乾燥させようとするものである。
【課題を解決するための手段】
【０００４】  本考案は、図面（１）（２）（３）（４）に示すように、厚物や何枚もの生地が重なりあう裏側部分の洗濯物を、竿に触れていない表側や裏側部分と同時乾燥させようとするとき、その部分に、必要な数だけの空気流通カバー具を竿に取り付け、その上から干すだけでよい。
【考案の効果】
【０００５】  本考案の、空気流通カバー具を、洗濯物の数や長さ、または、か所よってその分の数だけ取り付けても、風等の空気の流通に変わることなく、洗濯物が自然に同時乾燥する。
【考案を実施するための最良の形態】
【０００６】  空気流通カバー具の形態は、正面下がりの枠は、竿の下部から５０ｍｍ程下っていれば十分に空気流通があると思われる。側面の長さには拘らないが、２００ｍｍ〜２５０ｍｍ程度でよい。あまり長いと、取り付けや取り外しが簡単にできないと思われる。
図面（図１）で説明する。
本考案を図面で説明する。
［図１］【０００７】  （１）空気流通カバー具の斜視図
（２）（１）の正面図
（３）（２）を竿に取り付けた図  斜線断面は竿
（４）竿に（１）を取り付けた斜視図
【図面の簡単な説明】
【０００８】
【図１】本考案の、実施形態を示す空気流通カバー具の斜視図、正面図、断面図
【符号の説明】
【０００９】  Ａ      片面表側
Ａ−１  Ａの裏面
Ｂ      片面表側
Ｂ−１  Ｂの裏面
１      枠
１−１  下がりの枠
２      １の空間部分
３      空気流通カバー具の側面の長さ
Ｃ      竿
Ｃ−１  竿空洞
Ｄ      →  空気流通
Ｅ      ５０ｍｍ
【図１】
0003149770.tif 000003
【手続補正書】
【提出日】平成20年10月31日(2008.10.31)
【手続補正１】
【補正対象書類名】実用新案登録請求の範囲
【補正対象項目名】全文
【補正方法】変更
【補正の内容】
【実用新案登録請求の範囲】
【請求項１】
干し竿の洗濯物に、乾燥に必要な空気や風等の流通が出来るとしたことを特徴とする、洗濯物同時乾燥空気流通カバー具。
【手続補正書】
【提出日】平成21年1月15日(2009.1.15)
【手続補正１】
【補正対象書類名】実用新案登録請求の範囲
【補正対象項目名】全文
【補正方法】変更
【補正の内容】
【実用新案登録請求の範囲】
【請求項１】
Ｕ字形状の枠に空間部分を設けてなり、干し竿の洗濯物に、乾燥に必要な空気や風等の流通が出来ることを特徴とする、洗濯物同時乾燥空気流通カバー具。
(57)【要約】      （修正有）【課題】手紙の文章の長短を気にすることなく書くことができるカッター機能付きホルダーに収納したロール状の便箋を提供する。【解決手段】ロール状にした便箋用紙１を、カッター機能のついたホルダー２に収納することによって、手紙の文章の長短を気にすることなく書くことができ、書き終えた後はカッター機能により簡単に好きなところで切ることができるようになる。【選択図】図１
0003149768.tif 000002
【実用新案登録請求の範囲】
【請求項１】
カッター機能が付き、取替え可能なホルダーに収納してあるロール状の便箋。
【考案の詳細な説明】
【考案の開示】
【考案が解決しようとする課題】
【０００１】手紙離れが進む今、巻紙では現代の筆記具では書き難く、またコロコロ転がり書き終えて切るにも手間がかかった。従来の便箋も、用紙の巾が決まっているため、それに合わせて文章の長短を調整する必要があった。
【課題を解決するための手段】
【０００２】便箋用紙を、ロール状にする。そしてカッター機能付のホルダー２に、ロール状にした便箋用紙１を収納しておく。
【考案の効果】
【０００３】便箋用紙がロール状になっているため手紙の文章の長短を気にすることもなく書くことが出来る。しかも安定感のあるホルダーに入れたので転がることなく安定。しかも書き終えると、カット機能により、好きな長さで、はさみなどを使う手間もなく切ることができる。また無くなったら、入れ替えることも可能で便利である。
【図面の簡単な説明】
【図１】ロール状の便箋用紙１とカッターつきホルダー２を示した立体図と平面図である。
【図２】考案した便箋の使用状況を示す立体図である。
【符号の説明】
【０００４】１  ロール状の便箋用紙
２  カッターつきホルダー
【図１】
0003149768.tif 000003
【図２】
0003149768.tif 000004
【手続補正書】
【提出日】平成20年10月24日(2008.10.24)
【手続補正１】
【補正対象書類名】実用新案登録請求の範囲
【補正対象項目名】全文
【補正方法】変更
【補正の内容】
【実用新案登録請求の範囲】
【請求項１】
ロール状に巻いてある便箋用紙を、箱形や筒形のホルダーに収納。便箋用紙を取り出す口には、カッターが付いていて便箋は好きな長さで切ることが出来る。
【手続補正書】
【提出日】平成21年1月15日(2009.1.15)
【手続補正１】
【補正対象書類名】実用新案登録請求の範囲
【補正対象項目名】全文
【補正方法】変更
【補正の内容】
【実用新案登録請求の範囲】
【請求項１】
ロール状に巻いてある便箋用紙を、箱形や筒形のホルダーに収納し、便箋用紙を取り出すホルダーの口にカッターを付けた、カッター機能付きホルダーに収納したロール状の便箋。
(57)【要約】      （修正有）【課題】新聞の左下の角に、表と裏からめくり用切り口を入れることで、新聞のページめくりが困難な人も容易にめくることができる新聞を提供する。【解決手段】新聞の左下の角に、表裏から順次ページを追う毎に深さを小さくした切り口（例えば、４５度にカット）を入れて、指でめくり易く新聞を構成する。【選択図】図１
0003149766.tif 000002
【実用新案登録請求の範囲】
【請求項１】
新聞の左下の角に表と裏から入れた新聞めくり用切れ口。
【考案の詳細な説明】
【技術分野】
【０００１】  ここから書き始めて下さい。
【背景技術】
【０００２】
【考案の開示】
新聞のめくりが困難な人がふえています。
新聞の左下の角に切り口をいれることによってめくりが容易のできます。
表から一方的にいれては切れ口が深くなって紙面にも影響がでますので表と裏から切り口を入れることによって切り口の深さも半分でいい。
【考案が解決しようとする課題】
【・・・・】
【課題を解決するための手段】
【・・・・】
【考案の効果】
【・・・・】
【考案を実施するための最良の形態】
【・・・・】
【実施例】
【・・・・】
【産業上の利用可能性】
【・・・・】
【図面の簡単な説明】
【・・・・】
【図１】
【符号の説明】
【・・・・】
【図１】
0003149766.tif 000003
【手続補正書】
【提出日】平成20年9月30日(2008.9.30)
【手続補正１】
【補正対象書類名】実用新案登録請求の範囲
【補正対象項目名】全文
【補正方法】変更
【補正の内容】
【実用新案登録請求の範囲】
【請求項１】
左下の角に表と裏からめくり用切れ口入れた新聞
【手続補正２】
【補正対象書類名】明細書
【補正対象項目名】全文
【補正方法】変更
【補正の内容】
【考案の詳細な説明】
【考案の詳細な説明】
【０００１】新聞のめくりが困難な人がふえています。新聞の左下の角に切り口をいれることによってめくりが容易のできます。表から一方的にいれては切れ口が深くなって紙面にも影響がでますので表と裏から切り口を入れることによって切り口の深さも半分でいい。
【図面の簡単な説明】
【０００２】
【図１】は平面図である。
【手続補正４】
【補正対象書類名】図面
【補正対象項目名】全図
【補正方法】変更
【補正の内容】
【図１】
0003149766.tif 000004